(57)【要約】【課題】ＵＥとノードＢの間における情報の流れを制御するための方法を提供する。【解決手段】ＵＥが、情報をノードＢに伝送することを要求する信号を制御チャネルを介してノードＢに伝送する。ノードＢが、ＵＥに関連する伝搬遅延および／または処理遅延などの遅延に関する情報を使用して、データの伝送をスケジュール設定する。次に、ＵＥが、情報を伝送することがＵＥに許される時刻を特定する信号を共用チャネルを介してノードＢから受信する。その後、ＵＥは、特定された時刻に、情報を含む信号をデータ・チャネルを介してノードＢに伝送する。【選択図】図３
2005065301.tif 000002
【特許請求の範囲】
【請求項１】
情報を伝送する要求に遅延を関連付ける工程と、
前記遅延に基づいて情報を伝送することが許される時刻を特定する信号を伝送する工程とを含む方法。
【請求項２】
同期信号を伝送する工程をさらに含み、情報を伝送することが許される時刻を特定する信号を伝送する工程が、前記同期信号に応じて情報を伝送することが許される時刻を特定する信号を伝送する工程をさらに含む請求項１に記載の方法。
【請求項３】
前記同期信号に応じて情報を伝送することが許される時刻を特定する信号を伝送する工程が、前記同期信号に応じて情報を伝送することが許される時刻を特定する信号を共用チャネルを介して伝送する工程をさらに含む請求項２に記載の方法。
【請求項４】
情報を伝送する前記要求に遅延を関連付ける工程が、伝搬遅延を算出する工程をさらに含む請求項１に記載の方法。
【請求項５】
情報を伝送する前記要求に遅延を関連付ける工程が、処理遅延を算出する工程をさらに含む請求項１に記載の方法。
【請求項６】
第１の事前選択された時刻に前記情報を受信する工程と、
前記第１の事前選択された時刻を前記特定された時刻と比較して、情報を伝送する前記要求に関連する前記遅延を算出する工程とをさらに含む請求項１に記載の方法。
【請求項７】
ユーザと基地局の間における情報の流れを制御するための方法であって、
前記基地局から同期信号を受信する工程と、
情報を伝送する許可を基地局から要求する信号を前記ユーザから伝送する工程と、
情報を伝送すべき時刻を前記同期信号との関係で特定する信号を前記基地局から受信する工程と、
前記特定された時刻に前記ユーザから前記基地局に前記情報を伝送する工程とを含む方法。
【請求項８】
情報を伝送すべき時刻を特定する信号を前記基地局から受信する工程が、情報を伝送すべき実質的に固有の時刻を特定する信号を前記基地局から受信する工程をさらに含む請求項７に記載の方法。
【請求項９】
情報を伝送すべき時刻を特定する信号を前記基地局から受信する工程が、期間中に情報が伝送されるべき前記同期信号に関連する実質的に固有のフレームを特定する信号を前記基地局から受信する工程をさらに含む請求項７に記載の方法。
【請求項１０】
前記基地局から同期信号を受信する工程が、共用チャネルを介して前記基地局から同期信号を受信する工程をさらに含む請求項７に記載の方法。
【発明の詳細な説明】
【技術分野】
【０００１】
本発明は、一般に、遠隔通信に関し、より詳細には、無線通信に関する。
【背景技術】
【０００２】
セルラー電話などの無線遠隔通信の分野において、システムは、通常、システムによってサービスを提供される区域内に分散させられた複数のノードＢ（例えば、基地局）を含む。固定またはモバイルの区域内の様々なユーザは、ノードＢの１つまたは複数を介してシステムにアクセスすることができ、これにより、他の互いに接続された遠隔通信システムにアクセスすることができる。通常、ＵＥ（例えば、ユーザ）は、ユーザがある区域を通過する際、あるノードＢと通信し、ユーザが移動した際、別のノードＢと通信することによってシステムとの通信を維持する。ユーザは、最も近接したノードＢ、最も強力な信号を有するノードＢ、通信を受け入れるのに十分な容量を有するノードＢなどと通信することができる。
【０００３】
通常、各ノードＢは、複数のユーザとの複数の通信セッションを並行して処理するように構成される。このようにして、多数の同時のユーザに通信能力を提供しながらも、ノードＢの数を制限することができる。通常、各ユーザは、一般に、適切に規制されている他のユーザに対する干渉に関して、ノードＢに自由に情報を伝送することができる。つまり、複数のユーザが、情報をノードＢに同時に伝送することができる。しかし、情報のこの規制されていない転送により、伝送が重なり合うユーザ間で干渉が生じることになる。
【０００４】
音声を伝送するシステム、または比較的低速でデータを伝送するシステムにおいても、重なり合う伝送によって生じさせられる干渉は、通信セッションのサービス品質要件を満たすように規制される。しかし、インターネット・サービス、電子メール・サービス、およびその他のデータ量の多いサービスの使用が広くゆきわたるにつれ、無線通信システムが、現在、それらと同一のサービスのいくつかを提供しようと試みている。ただし、これらのタイプのサービスは、大量のデータが比較的高速で伝送されることを要求する。大量のデータを高速で伝送することを目的とするシステムでは、干渉は、相当に大きい可能性がある。実際、重なり合う伝送によって生じさせられる干渉は、データを伝送することができる速度に相当な制限を課して、一部の事例では、高速データ通信が実行不可能になる可能性がある。
【非特許文献１】コメント要求（ＲＦＣ）７９１
【非特許文献２】コメント要求（ＲＦＣ）２４６０
【発明の開示】
【発明が解決しようとする課題】
【０００５】
本発明は、以上に述べた問題の１つまたは複数を克服すること、または少なくとも軽減することを目的とする。
【課題を解決するための手段】
【０００６】
本発明の一態様では、方法が提供される。方法は、情報を伝送する要求に遅延を関連付けること、および遅延に基づいて情報を伝送することが許される時刻を特定する信号を伝送することを含む。
【０００７】
本発明の一態様では、通信システムにおける情報の流れを制御するための方法が提供される。方法は、情報を伝送することを要求する信号を受信すること、および情報を伝送する要求に遅延を関連付けることを含む。その後、遅延に基づいて情報を伝送することが許される時刻が特定され、情報を伝送することが許される時刻を特定する信号が伝送される。
【０００８】
本発明の別の態様では、ユーザと基地局の間で情報の流れを制御するための方法が提供される。方法は、基地局から同期信号を受信することを含む。情報を伝送する許可を基地局から要求する信号が、ユーザから伝送される。その後、情報を伝送すべき時刻を同期信号との関係で特定する信号が、基地局から受信され、次に、特定された時刻にユーザから基地局に情報が伝送される。
本発明は、添付の図面と併せて考慮される以下の説明を参照することにより理解することができる。図面では、同様の符号が、同様の要素を特定している。
【発明を実施するための最良の形態】
【０００９】
本発明は、様々な変更形態および代替形態が可能であるが、本発明の特定の実施形態を例として図面に示し、本明細書で詳細に説明している。ただし、特定の実施形態の本明細書における説明は、本発明を開示する特定の形態に限定するものではなく、反対に、本発明は、頭記の特許請求の範囲によって定義される本発明の趣旨および範囲に含まれるすべての変形形態、等価形態、および代替形態を範囲に含むことを理解されたい。
【００１０】
本発明の例示的な実施形態を以下に説明する。簡明にするため、実際の実施形態のすべての特徴は、本明細書で説明しない。もちろん、そのようないずれの実際の実施形態の開発においても、実施形態ごとに異なる、システム関連の制約およびビジネス関連の制約の遵守などの、開発者の特定の目標を達するように多数の実施形態特有の決定が行われなければならないことが認められよう。さらに、そのような開発者作業は、複雑で、時間がかかる可能性があるが、それでも、本開示を役立てる当業者には、通常どおりの仕事であることが認められよう。
【００１１】
次に、図面を参照し、特に図１を参照すると、本発明の一実施形態による通信システム１００が示されている。例示のため、図１の通信システム１００は、ユニバーサル移動電話システム（ＵＭＴＳ）であるが、本発明は、データ通信および／または音声通信をサポートする他のシステムにも適用可能であることを理解されたい。通信システム１００は、１つまたは複数のＵＥ１２０が、１つまたは複数のノードＢ１３０を介してインターネットなどのデータ網１２５と通信することを可能にする。ＵＥ１２０は、セルラー電話機、パーソナル・デジタル・アシスタント（ＰＤＡ）、ラップトップ・コンピュータ、デジタル・ポケットベル、無線カード、ならびにノードＢ１３０を介してデータ網１２５にアクセスすることができる他の任意のデバイスを含め、様々なデバイスのいずれの形態をとることも可能である。
【００１２】
一実施形態では、複数のノードＢ１３０が、Ｔ１／ＥＩ線またはＴ１／ＥＩ回線、ＡＴＭ回線、ケーブル、光デジタル加入者線（ＤＳＬ）などの１つまたは複数の接続１３９で無線ネットワーク・コントローラ（ＲＮＣ）１３８に結合されることが可能である。２つのＲＮＣ１３８だけを示しているが、複数のＲＮＣ１３８を利用して多数のノードＢ１３０とインタフェースをとることができることが、当業者には認められよう。一般に、ＲＮＣ１３８は、接続されているノードＢ１３０を制御し、調整するように動作する。図１のＲＮＣ１３８は、一般に、レプリケーション・サービス、通信サービス、ランタイム・サービス、およびシステム管理サービスを提供する。ＲＮＣ１３８は、例示した実施形態では、コール・パスを設定し、終端させることなどの呼び出し処理機能を取り扱い、各ＵＥ１２０、ならびにノードＢ１３０のそれぞれによってサポートされる各セクタに関して、順方向リンク上および／または逆方向リンク上のデータ転送速度を決めることができる。
【００１３】
ＮＲＣ１３８は、接続１４５を介してコア・ネットワーク（ＣＮ）１６５に結合され、接続１４５は、Ｔ１／ＥＩ線またはＴ１／ＥＩ回線、ＡＴＭ回線、ケーブル、光デジタル加入者線（ＤＳＬ）などの様々な形態のいずれをとることも可能である。一般に、ＣＮ１４０は、データ網１２５および／または公衆電話システム（ＰＳＴＮ）１６０に対するインタフェースとして動作する。ＣＮ１４０は、ユーザ認証などの様々な機能および動作を実行するが、ＣＮ１４０の構造および動作の詳細な説明は、本発明の理解および評価に必要ではない。したがって、本発明を不必要に不明瞭にするのを回避するため、ＣＮ１４０のさらなる詳細は、本明細書に提示しない。
【００１４】
データ網１２５は、インターネット・プロトコル（ＩＰ）によるデータ網などのパケット交換データ網であることが可能である。ＩＰの１つのバージョンが、１９８１年９月付けの「インターネット・プロトコル」という名称のコメント要求（ＲＦＣ）７９１に記載されている。ＩＰｖ６などのＩＰの他のバージョン、または他のコネクションレスのパケット交換標準も、さらなる実施形態で利用することができる。ＩＰｖ６のバージョンが、１９９８年１２月付けの「インターネット・プロトコル、バージョン６（ＩＰｖ６）規格」という名称のＲＦＣ２４６０に記載されている。データ網１２５は、さらなる実施形態においてその他のタイプのパケット・ベースのデータ網を含むことも可能である。そのような他のパケット・ベースのデータ網の例には、非同期転送モード（ＡＴＭ）ネットワーク、フレーム・リレー・ネットワークなどが含まれる。
【００１５】
本明細書で使用する「データ網」とは、１つまたは複数の通信ネットワーク、通信チャネル、通信リンク、または通信パス、ならびにそのようなネットワーク、チャネル、リンク、またはパスを介してデータをルーティングするのに使用されるシステムまたはデバイス（ルータなどの）を指すことが可能である。
【００１６】
したがって、通信システム１００は、ＵＥ１２０とデータ網１２５の間の通信を円滑にすることが、当業者には認められよう。ただし、図１の通信システム１００の構成は、典型的な性質のものであり、通信システム１００のその他の実施形態では、本発明の趣旨および技術を逸脱することなく、より少ないコンポーネントまたは追加のコンポーネントを使用してもよいことを理解されたい。例えば、システム１００は、ノードＢ１３０とＲＮＣ１３８またはＣＮ１６５の間でルータ（図示せず）を使用してもよい。
【００１７】
特に明記しない限り、または説明から明白であるように、「処理する」、または「計算する」、または「算出する」、または「判定する」、または「表示する」などの用語は、コンピュータ・システムのレジスタおよびメモリの中の物理的な電子量として表されるデータを操作し、変換して、コンピュータ・システムのメモリ、またはレジスタ、あるいはその他のそのような情報ストレージ・デバイス、情報伝送デバイス、または表示デバイスの中の物理量として同様に表される他のデータにするコンピュータ・システム、または類似の電子コンピューティング・デバイスの動作およびプロセスを指す。
【００１８】
次に、図２Ａを参照すると、典型的なノードＢ１３０、ならびに一対のＵＥ１２０ａ、１２０ｂに関連する機能的構造の一実施形態のブロック図が示されている。ノードＢ１３０は、インタフェース・ユニット２００、コントローラ２１０、アンテナ２１５、および複数のタイプ、すなわち、共用チャネル・タイプ２２０、データ・チャネル・タイプ２３０、および制御チャネル・タイプ２４０のチャネルを含む。インタフェース・ユニット２００は、例示した実施形態では、ノードＢ１３０とＲＮＣ１３８の間における情報の流れを制御する（図１を参照）。コントローラ２１０は、一般に、アンテナ２１５、および複数のチャネル２２０、２３０、２４０を介するデータ信号および制御信号の送信と受信の両方を制御し、インタフェース・ユニット２００を介して受信された情報の少なくとも部分をＲＮＣ１３８に通信するように動作する。
【００１９】
例示する実施形態では、ＵＥ１２０ａと１２０ｂは、少なくとも機能ブロック図レベルにおいて実質的に同様である。ＵＥ１２０ａ、１２０ｂは、本実施形態において機能的に同様であるものとして例示されているが、本発明の趣旨および範囲を逸脱することなく、相当な違いが存在してもよいことが、当業者には認められよう。本発明の動作を説明する目的では、ＵＥ１２０ａ、１２０ｂを機能的に同様であるものとして説明することが役に立つ。したがって、本実施形態では、ＵＥ１２０ａ、１２０ｂの構造および動作は、それらの符号に付いた「ａ」および「ｂ」の接尾文字を参照することなく本明細書で説明し、したがって、ＵＥ１２０の動作の説明は、ＵＥ１２０ａと１２０ｂの両方に該当する。
【００２０】
ＵＥ１２０は、ある機能的属性をノードＢ１３０と共有する。例えば、ＵＥ１２０は、コントローラ２５０、アンテナ２５５、および複数のチャネル・タイプ、すなわち、共用チャネル・タイプ２６０、データ・チャネル・タイプ２７０、および制御チャネル・タイプ２８０を含む。コントローラ２５０は、一般に、アンテナ２５５、および複数のチャネル・タイプ２６０、２７０、２８０を介するデータ信号および制御信号の送信と受信の両方を制御するように動作する。
【００２１】
通常、ＵＥ１２０におけるチャネル・タイプ２６０、２７０、２８０は、ノードＢ１３０における対応するチャネル・タイプ２２０、２３０、２４０と通信する。コントローラ２１０、２５０の動作の下で、チャネル・タイプ２２０，２６０；２３０，２７０；２４０，２８０が、しばしば、アップリンクと呼ばれるＵＥ１２０からノードＢ１３０への通信の制御された時刻スケジュール設定を実行するように使用される。例えば、本発明の一実施形態では、ノードＢ１３０が、ＵＥ１２０ａ、１２０ｂを制御して、ＵＥ１２０ａ、１２０ｂのアップリンク伝送においてほとんど、または全く重なり合いが生じないことを確実にする。このようにして、ノードＢ１３０は、ＵＥ１２０ａと１２０ｂの両方が同時に伝送する時間を短縮するか、またはなくすことにより、経験される干渉の量を少なくすることができる。本実施形態は、２つのＵＥ１２０ａ、１２０ｂの文脈で本発明を例示し、説明しているが、同様の原理は、より多くのＵＥを伴う適用例にも当てはまることが、当業者には認められよう。
【００２２】
制御チャネル・タイプ２８０は、一般に、ＵＥ１２０によって、ノードＢ１３０にデータおよび／または制御情報を伝送する許可を要求するのに使用される。共用チャネル・タイプ２２０は、ノードＢ１３０によって、ＵＥ１２０が、データ・チャネル・タイプ２７０および制御チャネル・タイプ２８０を介してノードＢ１３０に伝送を行うことができる状況をＵＥ１２０に通知するのに使用される。つまり、ノードＢ１３０は、共用チャネル・タイプ２２０を使用して、ＵＥ１２０ａが、第１の事前選択された時刻にデータを伝送することを始めてもよいことをＵＥ１２０ａに通知することができる。
【００２３】
次に、図２Ｂを参照すると、例示する実施形態では、ノードＢ１３０の共用チャネル・タイプ２２０、データ・チャネル・タイプ２３０、および制御チャネル・タイプ２４０が、１つまたは複数のチャネルから成ることが可能であることが予期されている。例えば、データ・チャネル２３０は、２次データ・チャネル、つまり拡張データ・チャネル２９０を含むことが可能である。ＵＥ１２０も、ＵＥ１２０からノードＢ１３０へのデータのアップリンク転送が拡張データ・チャネル２９０を介して行われることが可能であるように、同様に構成されることが可能である。
【００２４】
次に、図３を参照すると、図１および２のノードＢ１３０の１つとＵＥ１２０の１つの相互運用を示す流れ図が示されている。図３の流れ図では、ＲＮＣ１３８が、ノードＢ１３０を介して信号を提供して（３００で）、ノードＢ１３０とＵＥ１２０の動作を整列させる、つまり同期させる。例示した実施形態では、異なるＲＮＣ１３８に割り当てられた異なるノードＢ１３０は、当該のＲＮＣ１３８およびノードＢ１３０とは異なるシステム・クロックを使用して動作している。したがって、ノードＢ１３０とＵＥ１２０の間で信号の適切なタイミングを確実にするため、最初の操作は、少なくともその２つのデバイス間の通信を同期させることである。例示する実施形態では、ノードＢ１３０によって共用チャネルを介して同期信号が伝送され、共用チャネルは、ＵＴＭＳでは、プライマリ共通制御物理チャネル（Ｐ−ＣＣＰＣＨ）に相当する。
【００２５】
例示した実施形態では、ＵＥ１２０が（３０５で）、制御チャネル・タイプ２８０およびデータ・チャネル・タイプ２７０を介して送信されるべき信号のタイミングを整列させる（または再び整列させる）ことで同期信号に応答する。
【００２６】
ＵＥ１２０は、ノードＢ１３０に伝送することを所望するデータ信号を有する。ただし、ＵＥ１２０は、データをノードＢ１３０に伝送することが許されるにはまず、許可を要求し、許可を与えられなければならない。したがって、ＵＥ１２０は（３１０で）、自らがノードＢ１３０に伝送されるべきデータ／音声を有することを示す報告信号を制御チャネル・タイプ２８０を介して定期的に送信する。ノードＢ１３０が（３１５で）、自らの制御チャネル２４０上でその信号を受信し、ＵＥ１２０のステータスを更新して、ＵＥ１２０が、スケジュール設定された動作モードになっており、データを伝送することを所望していることを示す。また、ノードＢ１３０は、ＵＥ１２０から受信された信号の品質や強度などのパラメータからある情報を判定する。例えば、信号の品質および強度に基づき、ノードＢ１３０は、ＵＥ１２０が自らの送信電力を調整する（増加するか、または低減する）必要があると判定することが可能である。
【００２７】
ノードＢ１３０が（３２０で）、共用チャネル２２０を介して信号を送信することでＵＥ１２０からの要求に応答して、拡張データ・チャネル２９０を介してデータを送信する許可をノードＢ１３０に与える。複数のＵＥ１２０がデータをノードＢ１３０に送信することを要求しているものと想定すると、ノードＢ１３０は、所定のスロット内でデータを伝送する許可をＵＥ１２０のそれぞれに与え、ただし、スロットのタイミングは、同期信号に基づく。例えば、ＵＥ１２０ａに、タイム・スロット１でデータを送信する許可が与えられ、ＵＥ１２０ｂに、タイム・スロット２でデータを送信する許可が与えられることが可能である。
【００２８】
ノードＢ１３０は、ＵＥ１２０のそれぞれから送信されるデータの順序およびタイミングを決定する際に、ＵＥ１２０から獲得された情報を使用することができる。例えば、ノードＢ１３０は、ＵＥ１２０ａ、１２０ｂが伝送を行うことができるスロットを決定する際に、ＵＥ１２０ａ、１２０ｂから受信された以前の信号または信号群から導出された情報を使用して、信号の重なり合い、ならびにもたらされる信号間の干渉を小さくする、またはなくすようにすることさえできる。
【００２９】
ＵＥ１２０は、異なる場所にあることが可能であり、したがって、ノードＢ１３０から異なる距離にあることが可能であるため、伝送された信号がノードＢ１３０からＵＥ１２０に伝わり、返ってくるのに要する時間の長さは、異なる可能性がある。さらに、異なるＵＥ１２０は、異なる動作速度および動作特性を有する可能性があり、したがって、ＵＥ１２０の応答時間が異なり、ＵＥ１２０からノードＢ１３０に送信される信号のタイミングの変動にさらに寄与する可能性がある。つまり、ノードＢ１３０とＵＥ１２０ａ、１２０ｂの間で伝送される信号の伝搬時間は、かなり大きく、相当に異なる可能性がある。さらに、ＵＥ１２０は、通常、モバイルであるため、伝搬時間は、時間の経過に伴って相当に変動する可能性がある。この不定の伝搬時間は、考慮に入れられない場合、アップリンク信号間の容認できない重なり合いなどの望ましくない結果をもたらす可能性がある。
【００３０】
ＵＥ１２０ａ、１２０ｂからノードＢ１３０に伝送されるデータ間の典型的な重なり合い条件を示すタイミング図を図４に示している。例示する実施形態では、ノードＢ１３０が、指定された期間内にデータを伝送する許可をＵＥ１２０ａ、１２０ｂに与える信号４１０、４２０を順次に提供する。例示した実施形態では、ＵＥ１２０ａは、ＵＥ１２０ａが、ノードＢ１３０にデータ４２０を伝送することを始めた場合、データ４２０が、伝搬遅延ｔ１の後にノードＢ１３０において受信されるように、ノードＢ１３０から第１の距離に位置している。同様に、ＵＥ１２０ｂは、ＵＥ１２０ｂが、ノードＢ１３０にデータ４３０を伝送することを始めた場合、データ４３０が、伝搬遅延ｔ２の後にノードＢ１３０において受信されるように、ノードＢ１３０から第２の異なる距離に位置している。例示する実施形態では、データ信号４２０、４３０は、期間ｔ３にわたって互いに重なり合う。この重複期間ｔ３中、データ信号４２０、４３０は、互いに干渉して、データが失われることを生じさせる。
【００３１】
本発明は、ＵＥ１２０ａのデータ伝送とＵＥ１２０ｂのデータ伝送の間の期間を最小限に抑えるか、または少なくとも短縮しながら、重複期間ｔ３をなくそう、または少なくとも短縮しようと試みる。ノードＢ１３０が、データ伝送４２０、４３０をスケジュール設定する際、ＵＥ１２０ａ、１２０ｂに関連する予期される伝搬遅延を使用する。つまり、ノードＢ１３０は、ＵＥ１２０ａに関連する伝搬遅延を算出し、または推定し、次に、ＵＥ１２０ｂが伝送を始めることを許す時刻を決定する際に、その伝搬遅延を使用する。一実施形態では、伝搬遅延を算出する、または推定するプロセスは、ＵＥ１２０から信号が受信されるたびに毎回、繰り返すことができる。このようにして、伝搬遅延の動的な性質を検出し、ＵＥ１２０がデータを送信するのをスケジュール設定する際に考慮に入れることができる。
【００３２】
図３に戻ると、ＵＥ１２０が（３２５で）、ノードＢ１３０からの信号を検査し、拡張データ・チャネル２９０を介して自らがデータを伝送すべきタイム・スロットを特定する。一実施形態では、ノードＢ１３０は、システム・セル番号（ＳＮＦ）と一般に呼ばれる信号を、各ＵＥ１２０に関連する固有オフセットとともに提供する。固有オフセットは、関連するＵＥ１２０がデータを伝送することを許されるスロットを示す。例えば、ＵＥ１２０ａが、ＳＦＮを１というオフセットとともに受け取り、他方、ＵＥ１２０ｂが、ＳＦＮを３というオフセットとともに受け取ることが可能である。したがって、ＵＥ１２０ａ、１２０ｂは、それぞれ第１のスロット中、および第３のスロット中にデータを伝送することが自らに許されていることを「知る」。
【００３３】
したがって、指定された時刻に、ＵＥ１２０が（３３０で）、拡張データ・チャネル２９０を介してデータ信号またはデータ・パケットを伝送することを始める。実質的に同時に、ＵＥ１２０は、制御チャネル２８０を介して信号を伝送することもできる。ＵＥ１２０は、制御チャネル２８０を使用して、拡張データ・チャネル２９０を介して提供されている信号に関連するパラメータを示すことができる。ノードＢ１３０は、制御チャネル２８０上で提供される情報を使用して、拡張データ・チャネル２９０上で受信される情報を復号化することができる。
【００３４】
ノードＢ１３０が（３３５で）、拡張データ・チャネル２９０と制御チャネル２４０の両方を介して提供される情報を受信する。制御チャネル２４０上の情報が復号化され、拡張データ・チャネル２９０を介して提供されるデータ信号を復号化するのに使用される。復号化されたデータ信号は、次に、インタフェース・ユニット２００を介してシステム１００の様々なコンポーネントに転送される。ノードＢ１３０は、ＵＥ１２０のそれぞれから拡張チャネルを介して自らがデータを受信すべきスロットも「知る」。ノードＢ１３０は、次に、ＵＥ１２０から自らがデータを受信した実際の時刻をスケジュール設定された時刻と比較することができ、あらゆる偏差が、伝搬遅延および／または処理遅延に帰され、ＵＥ１２０からのさらなる伝送をスケジュール設定する際に、ノードＢ１３０によって使用されることが可能である。
【００３５】
ＵＥ１２０に関連する遅延を使用して、ＵＥ１２０からのアップリンク伝送のスケジュール設定を制御することができ、あるいは、代替として、ノードＢ１３０が、その遅延を補償してもよい。第１の実施形態では、ノードＢ１３０は、既知の遅延を有するＵＥ１２０からのアップリンク伝送に続いて、ＵＥ１２０のいずれからのアップリンク伝送もスケジュール設定しないことを選択することができる。このようにして、ＵＥ１２０からの重なり合うアップリンク伝送をなくす、または少なくとも減らすことができる。例えば、ＵＥ１２０ａが、大きな遅延なしにアップリンク情報を伝送し、他方、ノードＢ１３０が、ＵＥ１２０ｂから、スケジュール設定されているよりも大幅に遅れてアップリンク情報を受信したものと想定されたい。ノードＢ１３０は、それぞれのスロット１、２；４、５；７、８などでデータを伝送するようにＵＥ１２０ａ、１２０ｂをスケジュール設定して、スロット３、６、９を空いたままに、つまりスケジュール設定されていないままにすることができる。したがって、ＵＥ１２０ｂが情報をスロット２、５、８などで伝送した場合、その情報は、スロット３、６、９で伝送されるデータと重なり合わない。というのは、それらのスロットでは、情報が全く伝送されていないからである。
【００３６】
代替として、ノードＢ１３０は、ＵＥ１２０ｂが伝送を行うことが許される時刻を変更しようと試みてもよい。例えば、ノードＢ１３０は、スケジュール設定された時刻の５ミリ秒後にＵＥ１２０ｂから自らが情報を受信することを「知っている」場合、ＵＥ１２０ｂに、５ミリ秒早くアップリンク情報を伝送することを始めるように指示することができる。ノードＢ１３０が、早期に伝送するようにＵＥ１２０ｂに指示することができる少なくとも２つのやり方が存在する。第１の実施形態では、ノードＢ１３０は、固有の同期信号をＵＥ１２０ｂに提供することができる。この実施形態では、ＵＥ１２０ｂに対する固有の同期信号は、ＵＥ１２０ｂに関連するおよそ「既知の」遅延分だけＵＥ１２０ａに対する同期信号に先行する。つまり、ノードＢ１３０は、各ＵＥ１２０に固有の同期信号を提供して、ＵＥ１２０のそれぞれに関連するあらゆる検出された遅延を補償することができる。
【００３７】
代替として、ノードＢ１３０は、汎用の同期信号を提供することも可能であるが、ＵＥ１２０のそれぞれに対するオフセットも含み、ただし、そのオフセットは、各ＵＥ１２０に関連する測定された遅延に対応する。例えば、ＵＥ１２０ｂが、アップリンク伝送に関連する５ミリ秒の遅延を有するものと想定すると、ノードＢ１３０は、アップリンク情報をスロット２、４、６で、ただし５ミリ秒のオフセットで伝送するようにＵＥ１２０ｂに勧告することが可能である。したがって、ＵＥ１２０ｂは、アップリンク伝送をスロット２、４、６の開始より５ミリ秒前に開始する。ただし、５ミリ秒の遅延に起因して、ノードＢ１３０は、ほぼスロット２、４、６の開始までアップリンク伝送を受信しない。
【００３８】
本明細書の様々な実施形態において例示する様々なシステムのレイヤ、ルーチン、またはモジュールは、実行可能な制御ユニット（コントローラ２１０、２５０（図２を参照）のような）であってもよいことが、当業者には認められよう。コントローラ２１０、２５０は、マイクロプロセッサ、マイクロコントローラ、デジタル信号プロセッサ、プロセッサ・カード（１つまたは複数のマイクロプロセッサまたはコントローラを含む）、またはその他の制御デバイスまたはコンピューティング・デバイスを含むことが可能である。この説明で述べる記憶デバイスには、データおよび命令を記憶するための１つまたは複数のマシン可読記憶媒体が含まれることが可能である。記憶媒体には、ダイナミック・ランダム・アクセス・メモリまたはスタティック・ランダム・アクセス・メモリ（ＤＲＡＭまたはＳＲＡＭ）などの半導体メモリ・デバイス、消去可能なプログラマブル読み取り専用メモリ（ＥＰＲＯＭ）、電気的に消去可能なプログラマブル読み取り専用メモリ（ＥＥＰＲＯＭ）、およびフラッシュ・メモリ、固定ディスク、フロッピー（登録商標）・ディスク、リムーバブル・ディスクなどの磁気ディスク、テープを含むその他の磁気媒体、ならびにコンパクト・ディスク（ＣＤ）またはデジタル・ビデオ・ディスク（ＤＶＤ）などの光媒体を含め、異なる形態のメモリが含まれることが可能である。様々なシステムにおける様々なソフトウェアのレイヤ、ルーチン、またはモジュールを構成する命令が、それぞれの記憶デバイスの中に記憶されていることが可能である。命令は、コントローラ２１０、２５０によって実行された際、対応するシステムがプログラミングされた動作を実行するようにさせる。
【００３９】
以上に開示した特定の実施形態は、単に例示的である。というのは、本発明は、本明細書の教示を役立てる当業者に明白な異なるが、等価の形で変更し、実施することができるからである。さらに、本明細書で示す構成または設計の詳細は、頭記の特許請求の範囲に記載するもの以外、全く限定を意図するものではない。したがって、方法、システム、ならびに方法、システムの諸部分、および説明した方法およびシステムの諸部分は、無線ユニット、基地局、基地局コントローラ、および／またはモバイル交換センタなどの異なる場所において実施することができる。さらに、説明したシステムを実施し、使用するのに要求される処理回路は、特定用途向け集積回路、ソフトウェア駆動の処理回路、ファームウェア、プログラマブル論理デバイス、ハードウェア、本開示を役立てる当業者に理解される以上のコンポーネントの個別のコンポーネントまたは構成として実施することができる。したがって、以上に開示した特定の実施形態は改変する、または変更することができ、すべてのそのような変形形態が、本発明の範囲および趣旨に含まれるものと考えられる。したがって、本明細書で求める保護は、頭記の特許請求の範囲に記載するとおりである。
【図面の簡単な説明】
【００４０】
【図１】本発明の一実施形態による通信システムを示すブロック図である。
【図２Ａ】図１の通信システムにおいて使用されるノードＢおよび２つのＵＥの一実施形態を示すブロック図である。
【図２Ｂ】図１の通信システムにおいて使用されるノードＢおよび２つのＵＥの一実施形態を示すブロック図である。
【図３】図１および２のノードＢとＵＥの相互運用を示す流れ図である。
【図４】図２のノードＢと２つのＵＥの相互運用を示すタイミング図である。
【図１】
2005065301.tif 000003
【図２Ａ】
2005065301.tif 000004
【図２Ｂ】
2005065301.tif 000005
【図３】
2005065301.tif 000006
【図４】
2005065301.tif 000007